(57)【要約】【課題】蒸発皿表面のフッ素樹脂を劣化させることなく、消費者が加熱室内の掃除がしやすく清潔で快適な状態で使用することができる。【解決手段】予熱開始後、予熱用デューティーで庫内を予熱し、温度検出手段１０からの温度情報が予熱完了レベルを越えた時点から、温度検出手段１０からの温度情報が上昇しつづけている間は、ヒータ２の出力をＯＦＦし、その後も温度検出手段１０により温度情報を検出し続け、新しく検出した温度情報が前回検出した温度情報より低くなった時点から再びヒータ２の出力をＯＮし、かつ予熱用デューティーとは異なる加熱調理用デューティーで加熱を行い、制御レベルで出力制御を行うことで、蒸発皿表面のフッ素樹脂を劣化させることなく、オーブン予熱やオーブン調理に求められる加熱室内の高温での制御を可能にすることができる。【選択図】図１
2005233601.tif 000002
【特許請求の範囲】
【請求項１】
被加熱物を収容する加熱室と、前記加熱室内を加熱するヒータと、前記ヒータを収納するヒータ室と、前記加熱室内の空気を攪拌し、かつヒータ室内に設けられた循環ファンと、前記加熱室と前記ヒータ室を仕切る仕切り板と、前記仕切り板に前記ヒータ室と前記加熱室とを連通する通風孔と、吸気用通風孔をとおして吸気した空気をヒータ室で熱交換した後、前記加熱室内に吐出通風孔をとおして吐出する位置に配置し、かつ水溜まり所を有した蒸発皿からなる蒸気発生部と、前記加熱室内の温度を検出する温度検出手段と、前記温度検出手段からの温度情報をもとに前記ヒータの出力を制御する出力制御手段とを備え、前記出力制御手段は、予熱開始後、第１の加熱シーケンス（予熱用デューティーと言う）で加熱室庫内を予熱し、前記温度検出手段からの温度情報が第１の設定温度レベル（予熱完了レベルと言う）を越えた時点から、前記温度検出手段からの温度情報が上昇しつづけている間は、前記ヒータの出力をＯＦＦし、その後も前記温度検出手段により温度情報を検出し続け、新しく検出した温度情報が前回検出した温度情報より低くなった時点から再び前記ヒータの出力をＯＮし、かつ予熱用デューティーとは異なる第２の加熱シーケンス（加熱調理用デューティーと言う）で加熱を行い、第２の設定温度レベル（制御レベルと言う）で出力制御を行うことを特徴とした蒸気発生機能付き高周波加熱装置。
【請求項２】
前記蒸発皿を前記仕切り板まで切り欠くことで、前記吐出通風孔から前記蒸発皿表面までの距離を遠くし、前記吐出通風孔からの熱風の影響を受け難い構成とした請求項１に記載の蒸気発生機能付き高周波加熱装置。
【請求項３】
前記蒸発皿の上面を前記仕切り板まで覆うと共に該上面の一部を開放する開口を有する蓋体とを備え、前記蒸発皿が前記吐出通風孔からの熱風の影響を直接受けない構成とした請求項１または２に記載の蒸気発生機能付き高周波加熱装置。
【請求項４】
吐出通風孔の下部に加熱室に突出したリブを有し、前記リブにより循環ファンで供給される熱風が蒸気皿に直接当たらないようにしたことを特徴とする請求項１記載の蒸気発生機能付き高周波加熱装置。
【請求項５】
ヒータ室内に整流板を有し、前記整流板により、循環ファンで供給される熱風が蒸気皿に直接当たらないようにしたことを特徴とする請求項１記載の蒸気発生機能付き高周波加熱装置。
【請求項６】
整流板の下部に第２の吐出通風孔を有し、前記第２の吐出通風孔よりヒータを経由しない風を供給することにより、高温の熱風が蒸気皿に直接当たらないようにしたことを特徴とする請求項５記載の蒸気発生機能付き高周波加熱装置。
【発明の詳細な説明】
【技術分野】
【０００１】
本発明は、高周波加熱、蒸気加熱、熱風循環加熱のいずれか、もしくは組み合わせにより被加熱物を加熱処理する蒸気発生機能付き高周波加熱装置に関するものである。
【背景技術】
【０００２】
従来の被加熱物を収容する加熱室内に高周波を出力する高周波発生手段を備えた高周波加熱装置は、加熱室内の被加熱物に対して、短時間で効率のよい加熱ができるため、食材等の加熱調理機器である電子レンジとして急速に普及した。
【０００３】
しかし、高周波加熱による加熱だけでは、加熱調理の幅が限られるなどの不便があった。
【０００４】
そこで、加熱室内で発熱する電熱器や熱風循環式機能を追加して、オーブン加熱を可能にした高周波加熱装置が提案され、近年では、更に、加熱室内に加熱蒸気を供給する蒸気供給機構を追加して、高温蒸気による加熱調理も可能にした蒸気発生機能付き高周波加熱装置が提案されている。
【０００５】
また、蒸気発生部の蒸気皿の水垢汚れを容易に拭き取ることができ、消費者が清潔で快適に電子レンジを使用することができるように、蒸発皿にフッ素樹脂を塗布した蒸気発生機能付き高周波加熱装置も提案されている（例えば、特許文献１参照）。
【０００６】
図９は、特許文献１に記載された従来の蒸気発生機能付き高周波加熱装置を示すものである。図９に示すように、加熱室１と、ヒータ２と、ヒータ室３と、循環ファン４と、仕切り板５と、吸気用通風孔６と、吐出通風孔７と、蒸発皿８と、蒸気発生部９と、温度検出手段１０と、出力制御手段１１とから構成されている。
【特許文献１】特開２００２−６７０３６号公報
【発明の開示】
【発明が解決しようとする課題】
【０００７】
しかしながら、従来の蒸気発生機能付き高周波加熱装置では、蒸発皿の表面は吐出通風孔のすぐ下方にあり、吐出通風孔のすぐ下方にある蒸発皿表面を覆う蓋体などもなく、また、ヒータの制御においても温度検出手段からの温度情報が予熱完了レベルを越えた時点ですぐに予熱用デューティーから加熱調理用デューティーに切り換え、継続的に加熱を行うため、熱風循環式のオーブン加熱で３００℃予熱などを行った際に、フッ素樹脂の融点である３２４℃以上の温度の熱風が長時間継続的に蒸発皿に吹き付けられることになるので、蒸発皿の表面に塗布されたフッ素樹脂が熱せられ劣化し、水垢汚れを容易に拭き取ることができるという効果が低減してしまう。
【０００８】
本発明は、前記従来の課題を解決するもので、温度検出手段からの温度情報をもとにヒータの出力を制御する出力制御手段を備え、予熱開始後は予熱用デューティーで加熱室庫内を予熱し、温度検出手段からの温度情報が予熱完了レベルを越えた時点から、前記温度検出手段からの温度情報が上昇しつづけている間は、前記ヒータの出力をＯＦＦし、その後も前記温度検出手段により温度情報を検出し続け、新しく検出した温度情報が前回検出した温度情報より低くなった時点から再び前記ヒータの出力をＯＮし、かつ予熱用デューティーとは異なる加熱調理用デューティーで加熱を行い、制御レベルで出力制御を行うことで、蒸発皿表面の温度を３２４℃未満に抑えることができる。また合わせて、蒸発皿を仕切り板まで切り欠くことで、吐出通風孔から蒸発皿表面までの距離を遠くし、さらに、蒸発皿の上面を仕切り板まで上面の一部を開放する開口を有する蓋体で覆うことで蒸発皿表面の温度を３００℃未満に抑えた、蒸発皿表面のフッ素樹脂を劣化させることなく、それでいてオーブン予熱やオーブン加熱に求められる加熱室内の高温での制御を可能にし、調理性能を確保した、消費者が加熱室内の掃除がしやすく清潔で快適な状態で使用することができる、使い勝手がよく調理性能も確保した蒸気発生機能付き高周波加熱装置を提供することを目的としている。
【課題を解決するための手段】
【０００９】
前記従来の課題を解決するために、本発明の蒸気発生機能付き高周波加熱装置は、被加熱物を収容する加熱室と、前記加熱室内を加熱するヒータと、前記ヒータを収納するヒータ室と、前記加熱室内の空気を攪拌し、かつヒータ室内に設けられた循環ファンと、前記加熱室と前記ヒータ室を仕切る仕切り板と、前記仕切り板に前記ヒータ室と前記加熱室とを連通する通風孔と、吸気用通風孔をとおして吸気した空気をヒータ室で熱交換した後、前記加熱室内に吐出通風孔をとおして吐出する位置に配置し、かつ水溜まり所を有した蒸発皿からなる蒸気発生部と、前記加熱室内の温度を検出する温度検出手段と、前記温度検出手段からの温度情報をもとに前記ヒータの出力を制御する出力制御手段とを備え、加熱室内の予熱工程において、前記出力制御手段は、予熱開始後、第１の加熱シーケンス（予熱用デューティーと言う）で加熱室庫内を予熱し、前記温度検出手段からの温度情報が第１の設定温度レベル（予熱完了レベルと言う）を越えた時点から、前記温度検出手段からの温度情報が上昇しつづけている間は、前記ヒータの出力をＯＦＦし、その後も前記温度検出手段により温度情報を検出し続け、新しく検出した温度情報が前回検出した温度情報より低くなった時点から再び前記ヒータの出力をＯＮし、かつ予熱用デューティーとは異なる第２の加熱シーケンス（加熱調理用デューティーと言う）で加熱を行い、第２の設定温度レベル（制御レベルと言う）で出力制御を行っている。
【００１０】
これによって、オーブン予熱に求められる加熱室内の高温での出力制御を可能にしながらも、蒸発皿表面の温度を３２４℃未満に抑え、蒸発皿表面のフッ素樹脂の劣化を抑える事ができる。
【００１１】
また、本発明の蒸気発生機能付き高周波加熱装置は、前記蒸発皿を前記仕切り板まで切り欠いたものである。
【００１２】
これによって、前記吐出通風孔から蒸発皿表面までの距離が遠くなり、前記吐出通風孔からの熱風の影響を受け難い構成となるので、前記蒸発皿表面の温度上昇を抑えることができる。
【００１３】
また、本発明の蒸気発生機能付き高周波加熱装置は、前記蒸発皿の上面を前記仕切り板まで覆うと共に該上面の一部を開放する開口を有する蓋体を備えている。
【００１４】
これによって、前記蒸発皿表面が前記吐出通風孔からの熱風の影響を直接受けない構成とし、前記吐出通風孔からの熱風が吹き付けられる前記蓋体からの熱伝導のみとなるので、さらに前記蒸発皿表面の温度上昇を抑えることができる。
【発明の効果】
【００１５】
本発明の蒸気発生機能付き高周波加熱装置は、蒸発皿表面の温度を抑え、蒸発皿表面のフッ素樹脂を劣化させることなく、それでいてオーブン予熱やオーブン調理に求められる加熱室内の高温での制御を可能にして、調理性能を確保し、また、消費者が加熱室内の掃除がしやすく清潔で快適な状態で使用することができる。
【発明を実施するための最良の形態】
【００１６】
第１の発明は、被加熱物を収容する加熱室と、前記加熱室内を加熱するヒータと、前記ヒータを収納するヒータ室と、前記加熱室内の空気を攪拌し、かつヒータ室内に設けられた循環ファンと、前記加熱室と前記ヒータ室を仕切る仕切り板と、前記仕切り板に前記ヒータ室と前記加熱室とを連通する通風孔と、吸気用通風孔をとおして吸気した空気をヒータ室で熱交換した後、前記加熱室内に吐出通風孔をとおして吐出する位置に配置し、かつ水溜まり所を有した蒸発皿からなる蒸気発生部と、前記加熱室内の温度を検出する温度検出手段と、前記温度検出手段からの温度情報をもとに前記ヒータの出力を制御する出力制御手段とを備え、加熱室内の予熱工程において、前記出力制御手段は、予熱開始後、第１の加熱シーケンス（予熱用デューティーと言う）で加熱室庫内を予熱し、前記温度検出手段からの温度情報が第１の設定温度レベル（予熱完了レベルと言う）を越えた時点から、前記温度検出手段からの温度情報が上昇しつづけている間は、前記ヒータの出力をＯＦＦし、その後も前記温度検出手段により温度情報を検出し続け、新しく検出した温度情報が前回検出した温度情報より低くなった時点から再び前記ヒータの出力をＯＮし、かつ予熱用デューティーとは異なる第２の加熱シーケンス（加熱調理用デューティーと言う）で加熱を行い、第２の設定温度レベル（制御レベルと言う）で出力制御を行うことにより、蒸発皿表面の温度を３２４℃未満にし、蒸発皿表面のフッ素樹脂を劣化させることなく、それでいてオーブン予熱やオーブン調理に求められる加熱室内の高温での制御を可能にして、調理性能を確保し、また、消費者が加熱室内の掃除がしやすく清潔で快適な状態で使用することができる。
【００１７】
第２の発明は、前記蒸発皿を前記仕切り板まで切り欠くことにより、前記吐出通風孔から蒸発皿表面までの距離が遠くなり、前記吐出通風孔からの熱風の影響を受け難い構成となるので、前記蒸発皿表面の温度上昇を抑えることができる。
【００１８】
第３の発明は、前記蒸発皿の上面を前記仕切り板まで覆うと共に該上面の一部を開放する開口を有する蓋体を備えることにより、前記蒸発皿表面が前記吐出通風孔からの熱風の影響を直接受けない構成とし、前記吐出通風孔からの熱風が吹き付けられる前記蓋体からの熱伝導のみとなるので、さらに前記蒸発皿表面の温度上昇を抑えることができる。
【００１９】
第４の発明は、特に第１の発明において、通風孔の下部に加熱室に突出したリブを有し、前記リブにより循環ファンで供給される熱風が蒸気皿に直接当たらないようにしたことを特徴とするもので、蒸発皿表面の温度上昇を抑えることができる。
【００２０】
第５の発明は、特に第１の発明において、ヒータ室内に整流板を有し、前記整流板により、循環ファンで供給される熱風が蒸気皿に直接当たらないようにしたことを特徴とするもので、蒸発皿表面の温度上昇を抑えることができる。
【００２１】
第６の発明は、特に第５の発明において、整流板の下部に第２の吐出通風孔を有し、前記第２の吐出通風孔よりヒータを経由しない風を供給することにより、高温の熱風が蒸気皿に直接当たらないようにしたことを特徴とする請求項５記載の蒸気発生機能付き高周波加熱装置。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における蒸気発生機能付き高周波加熱装置の断面図、図２は、蒸気発生機能付き高周波加熱装置を制御するための制御系ブロック図である。
【００２４】
図１において、蒸気発生機能付き高周波加熱装置は、被加熱物を収容する加熱室１と、加熱室１内を加熱するヒータ２と、ヒータを収納するヒータ室３と、加熱室１内の空気を攪拌し、かつヒータ室３内に設けられた循環ファン４と、加熱室１とヒータ室３を仕切る仕切り板５と、仕切り板５にヒータ室３と加熱室１とを連通する通風孔と、吸気用通風孔６をとおして吸気した空気をヒータ室３で熱交換した後、加熱室１内に吐出通風孔７をとおして吐出する位置に配置し、かつ水溜まり所を有し、仕切り板５まで切り欠いた蒸発皿８からなる蒸気発生部９と、加熱室１内の温度を検出する温度検出手段１０と、温度検出手段１０からの温度情報をもとにヒータ２の出力を制御する出力制御手段１１と、蒸発皿７の上面を仕切り板５まで覆うと共に該上面の一部を開放する開口を有する蓋体１２とから構成されている。
【００２５】
図２の制御系は、例えばマイクロプロセッサを備えてなる出力制御手段１１を中心に構成されている。出力制御手段１１には、ヒータ２、循環ファン４、温度検出手段１０等が接続され、信号の授受を行っている。
【００２６】
以上のように構成された蒸気発生機能付き高周波加熱装置について、以下その動作、作用を説明する。
【００２７】
加熱室１の背後の空間は、ヒータ２と循環ファン４を収容したヒータ室３となっており、加熱室１の奥面が加熱室１とヒータ室３とを画成する仕切り板５となっている。仕切り板５には、加熱室１側からヒータ室３側への吸気を行う吸気用通風孔６と、ヒータ室３側から加熱室１側へ吐出を行う吐出通風孔７とが形成エリアを区別して設けられている。各通風孔６，７は、多数のパンチ孔として形成されている。循環ファン４は、仕切り板５の中央部に回転中心を位置させて配置されており、ヒータ室３内には、この循環ファン４を取り囲むようにして矩形環状のヒータ２が設けられている。そして、仕切り板５に形成された吸気用通風孔６は循環ファン４の前面に配置され、吐出通風孔７は矩形環状のヒータ２に沿って配置されている。オーブン予熱を開始すると、出力制御手段１１からヒータ２と循環ファン４へ信号が送られ、ヒータ２と循環ファン４がＯＮする。循環ファン４を回すと、風は循環ファン４の前側から吸気用通風孔６を通って循環ファン４の後側に流れるように設定されているので、加熱室１内の空気が、吸気用通風孔６を通って循環ファン４の中心部に吸い込まれ、ヒータ室３内のヒータ２を通過して、ヒータ２によって温められた（熱交換された）熱気とともに吐出通風孔７から加熱室１内に吐出される。加熱室１に吐出された熱気は、加熱室１内において撹拌されて、再度、吸気用通風孔６から吸引されるといった循環経路が形成され、循環するようになっている。なお、循環ファン４の配置位置下方には吐出通風孔７を設けずに、熱気を吸気用通風孔６に導かれるようにしている。こうした流れにより、加熱室１内の空気を撹拌し、循環ファン４を経由して循環させることで、加熱室１を温める循環式のオーブン予熱やオーブン調理が行われる。また、このとき吐出通風孔７から吐出された熱気は、水溜まり所を有した蒸発皿８や、蒸発皿８の上面を覆うと共に該上面の一部を開放する開口を有する蓋体１２にも吹き付けられる。そして、オーブン予熱を行っていく過程で、出力制御手段１１は温度検出手段１０からの温度情報にもとづいて、ヒータ２のＯＮ／ＯＦＦ制御をし、オーブン予熱やオーブン調理の出力制御を行うようになっている。
【００２８】
次に、上述した蒸気発生機能付き高周波加熱装置の制御について説明する。
【００２９】
図３は、蒸気発生機能付き高周波加熱装置の予熱工程の出力制御を示すフローチャートである。
【００３０】
図３では、３００℃のオーブン予熱が開始されると、出力制御手段１１はステップ１にて予熱用デューティー（予熱用デューティーは、短時間に加熱室内の温度を上昇させるために、常時ＯＮのデューティーとしている）にてヒータ２の出力制御処理をする。その後、ステップ２にて、温度検出手段１０からの温度情報が予熱完了レベルを越えたかどうかを判断する。予熱完了レベルを超えていない場合は、ステップ１へ移行し引き続き予熱用デューティーにてヒータ２の出力制御処理を行う。予熱完了レベルを超えた場合は、ステップ３へ移行し、ヒータ２の出力をＯＦＦする。その後、ステップ４へ移行し、温度検出手段１０により新しく検出された温度情報が前回検出した温度情報より低くなったかどうかを判断する。新しく検出された温度情報が前回検出した温度情報より低くない場合は、ステップ３へ移行し、引き続きヒータ２の出力をＯＦＦする。新しく検出された温度情報が前回検出した温度情報より低くなった場合は、ステップ５へ移行し、温度検出手段１０からの温度情報が制御レベルを超えたかどうかを判断する。温度情報が制御レベルを超えていた場合は、ステップ６へ移行し、ヒータ２の出力をＯＦＦする。その後、ステップ８へ移行する。温度情報が制御レベルを超えていなかった場合は、ステップ７へ移行し、３００℃の加熱調理用デューティー（加熱調理用デューティーは、各温度帯で最適な出力制御が行えるようなデューティーとしている）にてヒータ２の出力制御処理をする。その後、ステップ８へ移行する。ステップ８にて、３００℃予熱の保持時間が経過したかどうかを判断する。保持時間が経過していなければ、ステップ５へ移行し、再度、温度検出手段１０からの温度情報が制御レベルを超えたかどうかを判断し、判断状況に応じてステップ６もしくはステップ７へ移行し、ヒータ２の出力をＯＦＦする、あるいは、加熱調理用デューティーにてヒータ２の出力制御処理をし、その後、ステップ８へ移行し、３００℃予熱の保持時間が経過したかどうかを判断する、というサイクルを繰り返す。ステップ８にて、３００℃予熱の保持時間を経過していた場合は、ＥＮＤへ移行し、３００℃予熱の定温制御の処理をぬけ、２５０℃の制御レベルでの定温制御へ移行する。なお、これらのステップは実施例のため、判断基準も含めプログラムが容易な方式にすればよい。場合によっては、判断が不要になる事もありうる。あるいは、判断順序が前後する場合もありうる。また、以上・以下などの判断の仕方や条件判断の組み合わせは、使い方に合わせて自由に組み合わせればよい。また、予熱完了レベルや制御レベル、保持時間などの値は変更可能にしておくことで使い勝手が増すことは言うまでもない。
【００３１】
図４は、蒸気発生機能付き高周波加熱装置の予熱工程の出力制御の動きを表すグラフである。
【００３２】
３００℃予熱を開始すると、予熱用デューティーにて、ヒータ２の出力制御が行われ、加熱室１内の温度が上昇していく。そして、温度検出手段１０からの温度情報が予熱完了レベルを超えると、ヒータ２がＯＦＦされるが、ヒータ２をＯＦＦした後も、加熱室１内の温度はすぐに下がることはなく上昇を続ける。その後、温度検出手段１０により新しく検出された温度情報が前回検出した温度情報より低くなった時点から、今度は加熱調理用デューティーでヒータ２の出力制御が行われる。しかしすぐには加熱室１内は温まり始めないので加熱室１内の温度は下がり続けるが、しばらくすると、加熱室１内が温まり始めるので再び温度情報は上がり始める。そして、温度検出手段１０からの温度情報が３００℃の制御レベルを越えると、ヒータ２はＯＦＦされる。その後も、加熱室１内の温度は少し上がるが、しばらくすると温度は下がってくる。そして、温度検出手段１０からの温度情報が３００℃の制御レベルを下回ると、再びヒータ２が加熱調理用デューティーで出力制御される。これを繰り返すことで３００℃予熱の出力制御を行い、保持時間経過後は、２５０℃の出力制御へ移行することを示している。以上のような構成にすることにより、蒸発皿表面の温度を３２４℃未満にし、蒸発皿表面のフッ素樹脂を劣化させることなく、それでいてオーブン予熱やオーブン調理に求められる加熱室内の高温での制御を可能にして、調理性能を確保し、また、消費者が加熱室内の掃除がしやすく清潔で快適な状態で使用することができる。
【００３３】
（実施の形態２）
図５は、本発明の第２の実施の形態の蒸気発生機能付き高周波加熱装置の蒸発皿の切り欠いた形状を示す要部断面図である。
【００３４】
図５に示すように、蒸発皿８を仕切り板５まで切り欠くことにより、吐出通風孔７から蒸発皿８の表面までの距離を遠くしたことを特徴とする。この構成により、吐出通風孔７からの熱風の影響を受け難い構成とすることができるので、蒸発皿８の表面の温度上昇を抑えることができる。
【００３５】
（実施の形態３）
図６は、本発明の第３の実施の形態の蒸気発生機能付き高周波加熱装置の蒸発皿と蓋体の形状を示す要部断面図である。
【００３６】
図６に示すように、蒸発皿８を仕切り板５まで切り欠き、さらに、蒸発皿８の上面を仕切り板５まで覆うと共に該上面の一部を開放する開口を有する蓋体１２を備えたことを特徴とする。この構成により、蒸発皿８の表面が吐出通風孔７からの熱風の影響を直接受けない構成とすることができ、吐出通風孔７からの熱風が吹き付けられる蓋体１２からの熱伝導のみとなるので、さらに蒸発皿８の表面の温度上昇を抑えることができる。
【００３７】
（実施の形態４）
図７は、本発明の第４の実施の形態の蒸気発生機能付き高周波加熱装置の蒸発皿と蓋体の形状を示す要部断面図である。
【００３８】
図７に示すように、吐出通風孔７の最下部に加熱室に突出したリブ５ａを設けている。従って、循環ファン４で供給される熱風はリブ５ａにより噴出し方向が規制されるので蒸発皿８に直接当たることを防止することができ、蒸発皿８の表面の温度上昇を抑えることができる。
【００３９】
（実施の形態５）
図８は、本発明の第５の実施の形態の蒸気発生機能付き高周波加熱装置の蒸発皿と蓋体の形状を示す要部断面図である。
【００４０】
図８に示すように、ヒータ室３内に整流板５ｂを設けることにより、循環ファン４の供給される熱風は吐出通風孔７からほぼ水平に噴出すようにすることが可能となるので、蒸発皿８に直接当たることを防止することができ、蒸発皿８の表面の温度上昇を抑えることができる。
【００４１】
また、整流板５ｂの下部に第２の吐出通風孔７ａを設けることにより、この第２の通風孔７ａからはヒータ２に直接加熱されない比較的低温の熱風が吹き出すことになり、蒸発皿８の表面の温度上昇を抑えることができる。
【産業上の利用可能性】
【００４２】
以上のように、本発明にかかる蒸気発生機能付き高周波加熱装置は、オーブン予熱やオーブン調理に求められる加熱室内の高温での出力制御を可能にし、調理性能を確保しながらも、蒸発皿表面の温度を３２４℃未満に抑え、蒸発皿表面のフッ素樹脂を劣化させることなく、消費者が加熱室内の掃除がしやすく清潔で快適な状態で使用することが可能となるので、高周波加熱と熱風循環式オーブン加熱と高温蒸気による加熱の３方式を利用して調理を行う機器等の用途に適用できる。
【図面の簡単な説明】
【００４３】
【図１】本発明の実施の形態１における蒸気発生機能付き高周波加熱装置の断面図
【図２】本発明の実施の形態１における蒸気発生機能付き高周波加熱装置を制御するための制御系ブロック図
【図３】本発明の実施の形態１における蒸気発生機能付き高周波加熱装置の予熱工程の出力制御を示すフローチャート
【図４】本発明の実施の形態１における蒸気発生機能付き高周波加熱装置の予熱工程の出力制御の動きを表すグラフ
【図５】本発明の実施の形態２における蒸気発生機能付き高周波加熱装置の蒸発皿の切り欠いた形状を示す要部断面図
【図６】本発明の実施の形態３における蒸気発生機能付き高周波加熱装置の蒸発皿と蓋体の形状を示す要部断面図
【図７】本発明の実施の形態４における蒸気発生機能付き高周波加熱装置の蒸発皿と蓋体の形状を示す要部断面図
【図８】本発明の実施の形態５における蒸気発生機能付き高周波加熱装置の蒸発皿と蓋体の形状を示す要部断面図
【図９】従来の蒸気発生機能付き高周波加熱装置の断面図
【符号の説明】
【００４４】
１  加熱室
２  ヒータ
３  ヒータ室
４  循環ファン
５  仕切り板
５ａ  リブ
５ｂ  整流板
６  吸気用通風孔
７  吐出通風孔
７ａ  第二の吐出通風孔
８  蒸発皿
９  蒸気発生部
１０  温度検出手段
１１  出力制御手段
１２  蓋体
【図１】
2005233601.tif 000003
【図２】
2005233601.tif 000004
【図３】
2005233601.tif 000005
【図４】
2005233601.tif 000006
【図５】
2005233601.tif 000007
【図６】
2005233601.tif 000008
【図７】
2005233601.tif 000009
【図８】
2005233601.tif 000010
【図９】
2005233601.tif 000011